(57)【要約】      （修正有）【課題】サイクル用の蓄電池の劣化判定精度を向上させることが可能な蓄電池の劣化判定方法および蓄電池の劣化判定装置を提供する。【解決手段】サイクル用の蓄電池を均等充電により満充電にする工程Ｓ１１、５０〜９５％のＳＯＣ（充電状態）まで放電させる工程Ｓ１２、０．０５〜０．６ＣＡの範囲の電流で充電、または０．０５〜１．０ＣＡの範囲の電流で放電させたときの電圧を測定する工程Ｓ１３、測定結果から分極電圧ΔＶを算出した後、この値から直流内部抵抗Ｒを算出する工程Ｓ１４、充電時の電流（０．０５〜０．６ＣＡ）または放電時の電流（０．０５〜１．０ＣＡ）に対応して予め定められた充電時または放電時の劣化判定の閾値Ｊとなる直流内部抵抗を示したデータテーブルに基づいて分極電圧から算出した直流内部抵抗Ｒと、閾値Ｊとなる直流内部抵抗を比較することにより蓄電池の劣化状態を判定する工程Ｓ１５と、を備える。【選択図】図４
2015010962.tif 000002
【特許請求の範囲】
【請求項１】
複数の蓄電池を直列および／または並列に接続した組電池システムに用いられ、ＰＳＯＣ（部分充電状態）で運用されるサイクル用の蓄電池を均等充電により満充電にする工程と、所定のＳＯＣ（充電状態）まで放電させる工程と、０．０５〜０．６ＣＡの範囲の電流で充電、または０．０５〜１．０ＣＡの範囲の電流で放電させたときの電圧を測定する工程と、この測定電圧から分極電圧を算出した後、前記分極電圧から直流内部抵抗を算出する工程と、前記電流に対応して予め定められた充電時または放電時の劣化判定の閾値となる直流内部抵抗を示したデータテーブルに基づいて、前記分極電圧から算出した直流内部抵抗と、前記閾値となる直流内部抵抗を比較することにより前記蓄電池の劣化判定を行う工程と、を備えることを特徴とする蓄電池の劣化判定方法。
【請求項２】
前記所定のＳＯＣまで放電させる工程では、劣化前の前記蓄電池の総放電電気量を基準にして５０〜９５％のＳＯＣまで放電させることを特徴とする請求項１に記載の蓄電池の劣化判定方法。
【請求項３】
前記所定のＳＯＣまで放電させる工程では、前記蓄電池が使用される充放電サイクルの中間のＳＯＣまで放電させることを特徴とする請求項１または２に記載の蓄電池の劣化判定方法。
【請求項４】
前記蓄電池は、ＳＯＣ５０〜９５％の範囲のＰＳＯＣで運用されることを特徴とする請求項１乃至３のいずれか一項に記載の蓄電池の劣化判定方法。
【請求項５】
複数の蓄電池を直列および／または並列に接続した組電池システムに用いられ、ＰＳＯＣ（部分充電状態）で運用されるサイクル用の蓄電池の充放電を行う充放電部と、
前記充放電部により前記蓄電池を所定のＳＯＣ（充電状態）まで放電させ、その後、０．０５〜０．６ＣＡの範囲の電流で充電、または０．０５〜１．０ＣＡの範囲の電流で放電させたときの電圧を測定し、この測定電圧から分極電圧を算出した後、前記分極電圧から直流内部抵抗を算出し、前記電流に対応して予め定められた充電時または放電時の劣化判定の閾値となる直流内部抵抗を示したデータテーブルに基づいて前記分極電圧から算出した直流内部抵抗と、前記閾値となる直流内部抵抗を比較することにより前記蓄電池の劣化判定を行う情報処理部と
を備えることを特徴とする蓄電池の劣化判定装置。
【発明の詳細な説明】
【技術分野】
【０００１】
本発明は、系統電源の電力や、再生可能エネルギーからの電力と連係動作するために、充電状態が所定範囲内で制御されるサイクル用の蓄電池の劣化判定方法および蓄電池の劣化判定装置に関する。
【背景技術】
【０００２】
複数の蓄電池を直列接続および／または並列に接続した組電池システムは、産業用途に用いられており、通信や電力などの電源設備などに付帯させて常時フロート充電することで蓄電池を満充電状態に保ち、停電時に蓄電池を放電させて非常用電源として使用される。この場合、蓄電池には、フロート用の鉛蓄電池などが用いられる。
一方、近年では、電気料金の割安な夜間の電力を蓄電池に貯蔵（充電）し、昼間の電力需要増大時に放出（放電）し、電力負荷を平準化する電力貯蔵用電源として使用されるようになってきている。この場合、蓄電池にはサイクル用の鉛蓄電池などが用いられる。また、組電池システムは、再生可能エネルギーである風力発電や太陽光発電に併設して、発電量が少ないときに蓄電池から放電し、発電量が多いときに蓄電池に充電することで不安定な電力を平準化する用途でも使用されることがある。さらに、上記非常用と電力貯蔵用の両方の用途でハイブリッド的な使い方をされることもある。
また、上記のサイクル用の蓄電池では、サイクル寿命の向上や、変動の大きい風力や太陽光の出力変動に合わせて電池の充電が行われやすくするよう、蓄電池の状態を部分充電状態（ＰＳＯＣ：Ｐａｒｔｉａｌ  Ｓｔａｔｅ  ｏｆ  Ｃｈａｒｇｅ）で運用されることが多くなってきている。
このように、サイクル用の蓄電池では、ＰＳＯＣで充電と放電のサイクルを頻繁に繰り返すために絶えず充電状態が変動しており、使用状況によって蓄電池の劣化状況が大きく変わるので、蓄電池の正確な劣化判定が特に重要になる。
【０００３】
蓄電池の劣化判定方法としては、フロート用の場合には、フロート充電中に固定配線方式の内部抵抗装置を用いて交流４端子法などにより内部抵抗測定を行い、これを閾値と比較して劣化判定（閾値より大きい場合が劣化）を行うことが、また一方で、サイクル用の場合には、放電電圧の変化を測定し、これを閾値と比較して劣化判定（閾値より大きい場合が劣化）を行うことが提案されている（例えば、特許文献１参照）。これらの判定方法は、蓄電池の充電状態（ＳＯＣ：Ｓｔａｔｅ  ｏｆ  Ｃｈａｒｇｅ）によって、その値が変わるため、誤差が少ないＳＯＣで測定することが正確な判定につながる。
【先行技術文献】
【特許文献】
【０００４】
【特許文献１】特開２０１０−１６４４４１号公報
【発明の概要】
【発明が解決しようとする課題】
【０００５】
しかしながら、電力貯蔵用などに使用されるサイクル用の蓄電池は、ＰＳＯＣで所定の範囲のＳＯＣの間で充電と放電のサイクルが繰り返す運用を行うと、電流積算の誤差や充放電装置のノイズなどの影響でＳＯＣが徐々にずれることによって正しいＳＯＣで劣化判定することができないため、高精度な正しいＳＯＣで劣化判定をすることが難しかった。
【０００６】
本発明は、上述した事情を鑑みてなされたものであり、サイクル用の蓄電池の劣化判定精度を向上させることが可能な蓄電池の劣化判定方法および蓄電池の劣化判定装置を提供することを目的としている。
【課題を解決するための手段】
【０００７】
上述した課題を解決するため、本発明の蓄電池の劣化判定方法は、複数の蓄電池を直列および／または並列に接続した組電池システムに用いられ、ＰＳＯＣ（部分充電状態）で運用されるサイクル用の蓄電池を均等充電により満充電にする工程と、所定のＳＯＣ（充電状態）まで放電させる工程と、０．０５〜０．６ＣＡの範囲の電流で充電または放電させたときの電圧を測定する工程と、この測定電圧から分極電圧を算出した後、前記分極電圧から直流内部抵抗の値を算出する工程と、前記電流に対応して予め定められた充電時または放電時の劣化判定の閾値となる直流内部抵抗を示したデータテーブルに基づいて前記分極電圧から算出した直流内部抵抗と、前記閾値となる直流内部抵抗を比較することにより前記蓄電池の劣化判定を行う工程と、を備えることを特徴とする。
この構成によれば、サイクル用の蓄電池の劣化判定精度を向上させることができる。
【０００８】
上記構成において、前記所定のＳＯＣまで放電させる工程では、劣化前の前記蓄電池の総放電電気量を基準にして５０〜９５％のＳＯＣまで放電させることを特徴とする。
この構成によれば、ＳＯＣを９５％以下にすることで、組電池の充電時に大きく分極して、運用中の上限電圧に到達しにくくすることができ、また劣化状態を正しく判定することができる。一方、ＳＯＣを５０％以上にすることで、満充電から調整するまでの時間を短くすることができ、また、ＳＯＣを下げ過ぎないことで、組電池の寿命の低下を防止することができる。
【０００９】
また、上記構成において、前記所定のＳＯＣまで放電させる工程では、前記蓄電池が使用される充放電サイクルの中間のＳＯＣまで放電させることを特徴とする。
この構成によれば、運用中の常用されるＳＯＣの範囲内で組電池１１の劣化を判定することができ、劣化をより適切に判定することができる。
【００１０】
また、上記構成において、前記蓄電池は、ＳＯＣ５０〜９５％の範囲のＰＳＯＣで運用されることを特徴とする。
この構成によれば、組電池の寿命の急激な劣化を防いで、組電池の劣化をより適切に判定することができる。また、この範囲内で運用を行うことにより、他の電力からの充電を効率良く行うことができる。
【００１１】
また、本発明の蓄電池の劣化判定装置は、複数の蓄電池を直列および／または並列に接続した組電池システムに用いられ、ＰＳＯＣ（部分充電状態）で運用されるサイクル用の蓄電池の充放電を行う充放電部と、前記充放電部により前記蓄電池を所定のＳＯＣ（充電状態）まで放電させ、その後、０．０５〜０．６ＣＡの範囲の電流で充電、または０．０５〜１．０ＣＡの範囲の電流で放電させたときの電圧を測定し、この測定電圧から分極電圧を算出した後、前記分極電圧から直流内部抵抗を算出し、前記電流に対応して予め定められた充電時または放電時の劣化判定の閾値となる直流内部抵抗を示したデータテーブルに基づいて、前記分極電圧から算出した直流内部抵抗と、前記閾値となる直流内部抵抗を比較することにより前記蓄電池の劣化判定を行う情報処理部とを備えることを特徴とする。
この構成によれば、蓄電池の劣化判定精度を向上させることができる。
【発明の効果】
【００１２】
本発明によれば、サイクル用の蓄電池の劣化判定精度を向上させることができる。
【図面の簡単な説明】
【００１３】
【図１】本発明の実施形態に係る蓄電池の劣化判定装置を示す図である。
【図２】ＳＯＣ９０％における放電５秒目の電流と電圧との関係を示すグラフである。
【図３】ＳＯＣ９０％における充電５秒目の電流と電圧との関係を示すグラフである。
【図４】蓄電池の劣化判定装置の動作を示すフローチャートである。
【発明を実施するための形態】
【００１４】
以下、図面を参照して本発明の一実施の形態について説明する。
図１は、本発明の実施形態に係る蓄電池の劣化判定装置を示す図である。
この蓄電池の劣化判定装置（以下、電池劣化判定装置と言う）１０は、電力で動作する機器の電源となる組電池１１の劣化を判定する装置である。
まず、この電池劣化判定装置１０が対象とする組電池１１の一例として、組電池を構成する蓄電池に鉛蓄電池を用いた例について説明する。
この組電池１１は、複数のセル（鉛蓄電池）１２が直列に接続されたサイクル用の鉛蓄電池である。つまり、この組電池１１は、充電と放電のサイクルを繰り返すために充電状態が常に変動する状況下で使用されることを意図して、サイクル寿命の長寿命化、ＰＳＯＣ（部分充電状態；Ｐｅｒｔｉａｌ  Ｓｔａｔｅ  ｏｆ  Ｃｈａｒｇｅ）での充電受け入れ性の改善などを図った二次電池である。
具体的には、この組電池１１は、例えば、再生可能エネルギーである風力発電や太陽光発電などからの余剰電力を充電し、不足電力を放電する平準化用電源に使用されたり、夜間の電力で充電し、昼間の電力需要増大時に放電し、電力負荷を平準化する電力貯蔵用電源に使用されたりする。
【００１５】
電池劣化判定装置１０は、組電池１１を充電または放電する機能を具備する充放電装置（充放電部）２１と、充放電装置２１の制御機能および組電池１１の劣化判定機能を具備する情報処理装置（情報処理部）２２とを備えている。
情報処理装置２２は、組電池１１の各セル１２に接続されたモニター線２３を介して各セル１２の電圧や電流を測定可能な測定部２４と、測定部２４の測定結果を入力する処理部２５とを有している。そして、処理部２５の制御の下、測定部２４による測定や、充放電装置２１による充電および放電が制御され、また測定データを基に判定データを算出するようになっている。
【００１６】
処理部２５は、各種データを記憶する記憶部２６を有しており、この記憶部２６には、組電池１１の劣化を判定するための各種制御や演算を行うためのプログラムデータや、劣化判定の閾値Ｊなどのデータが記憶されている。
この劣化判定の閾値Ｊは、分極電圧ΔＶから算出した直流内部抵抗Ｒの閾値であり、これらの閾値は、０．０５〜１ＣＡまでの所定の電流レート、例えば０．０５ＣＡ刻みの電流レート毎に、充電時または放電時の劣化判定の閾値となる直流内部抵抗Ｒを示したデータテーブルとして記憶されている。
【００１７】
図２は、２Ｖ−１０００Ａｈ（１０時間率容量）のサイクル用鉛蓄電池を均等充電により満充電状態にした後、０．１ＣＡの電流で１時間放電して、ＳＯＣを９０％まで調整し、０．０５ＣＡ（５０Ａ）〜１ＣＡ（１０００Ａ）の電流で５秒間放電したときの電流と電圧をプロットしたグラフである。ここで、電流と電圧の傾きは直流内部抵抗を示しており、このグラフから、放電時は電流と電圧の関係が直線となり、どの電流においても直流内部抵抗が同じ数値を示すことが分かる。なお、ここでは、ＳＯＣ９０％まで調整後に放電した場合を示したが、ＳＯＣ５０％〜９５％まで調整後に放電した場合でも同様の挙動を示した。
一方、図３はＳＯＣを９０％まで調整したサイクル用鉛蓄電池を、０．０５ＣＡ（５０Ａ）〜１ＣＡ（１０００Ａ）の電流で５秒間充電したときの電流と電圧をプロットしたグラフである。このグラフから、充電時は０．０５ＣＡ（５０Ａ）〜０．６ＣＡ（６００Ａ）までは直線性を示すため直流内部抵抗が同じであるが、０．７５ＣＡ（７５０Ａ）を超えると分極が大きくなることが分かる。よって、充電時の電流レートは、０．７５ＣＡを超えると酸素過電圧、水素過電圧の影響で直流内部抵抗が正しく測定できなくなるため、０．０５ＣＡ〜０．６ＣＡの範囲が好ましい。なお、ここでは、ＳＯＣ９０％まで調整後充電した場合を示したが、ＳＯＣ５０％〜９５％まで調整後に充電した場合でも同様の挙動を示した。
また、放電時および充電時共に、電流は０．０５ＣＡ未満でも直流内部抵抗は測定可能であるが、分極が比較的小さく、直流内部抵抗の測定精度が落ちるため、０．０５ＣＡ以上であることが好ましい。
このデータテーブル形式を用いることにより、算出した値とデータテーブル値とを比較することで、より簡単に、劣化判定を行うことができる。
【００１８】
充放電装置２１は、情報処理装置（情報処理部）２２の制御の下、セル１２毎のＳＯＣのばらつきを解消するための均等充電（回復充電、リフレッシュ充電を含む)を組電池１１に行ったり、情報処理装置２２の指示に基づく電流値で組電池１１を放電または充電させたりする。この充放電装置２１は、公知の充放電装置を適用することが可能である。
【００１９】
次に、この電池劣化判定装置１０の動作を説明する。
図４はこの電池劣化判定装置１０の動作を示すフローチャートである。
図４に示すように、この電池劣化判定装置１０において、まず、情報処理装置２２の処理部２５は、予め定められたスケジュールに従って充放電装置２１により均等充電を行って組電池１１を満充電にする（ステップＳ１１：充電工程）。
次に、処理部２５は、充放電装置２１によって組電池１１の放電を行う（ステップＳ１２：放電工程）。この場合、処理部２５は、測定部２４によって測定される電流値を積算することによって放電量を算出し、この放電量を監視することによって、組電池１１のＳＯＣ（充電状態）を目標値Ｓｘに調整する。
【００２０】
次いで、処理部２５は、ステップＳ１２でＳＯＣを目標値Ｓｘに調整した組電池１１を、充放電装置２１によって目標電流値Ｉｘで放電または充電させ、このときの電圧を測定部２４によって測定する（ステップＳ１３：電圧測定工程）。
続いて、処理部２５は、この電圧の測定結果から分極電圧ΔＶを求め、この値から直流内部抵抗Ｒを算出する（ステップＳ１４）、この直流内部抵抗Ｒに基づいて組電池１１の劣化状態を判定する（ステップＳ１５：判定工程）。以上が電池劣化判定装置１０による劣化判定処理である。
【００２１】
一般に、鉛蓄電池はＰＳＯＣ状態での使用を続けると、負極のサルフェーションが進行し、短寿命となる傾向がある。
本構成では、予め定めたスケジュールに従って均等充電を行うので、鉛蓄電池で構成される組電池１１は、定期的に均等充電される。このため、一端、各セル１２の負極板表面に生成した硫酸鉛を、海綿状の金属鉛に戻すことができる。従って、サルフェーション進行が抑えられ、ＳＯＣを１００％に戻し、運用中に生じたＳＯＣの誤差をリセットし易くなる。
また、この均等充電は、定期的に実施される均等充電のタイミングを利用することで、劣化判定の最初の均等充電のステップＳ１１を省くことができる。
【００２２】
また、上記ステップＳ１２において、処理部２５は、目標値Ｓｘを５０〜９５％の範囲内の値に設定している。
ここで、一例として２Ｖ−１０００Ａｈ（１０時間率容量）のサイクル用鉛蓄電池をＳＯＣ調整するまでの時間とＳＯＣ調整後の残存容量を表１に示す。
【００２３】
【表１】
2015010962.tif 000003
【００２４】
発明者等の検討によれば、ＳＯＣ９５％超では、鉛蓄電池の充電時に大きく分極するため、組電池１１として運用中の上限電圧に到達し易くなり、劣化状態を正しく判定することが難しくなる。また、電力安定化のためには組電池１１が常に充放電できるＳＯＣであることが必要になるが、鉛蓄電池のＳＯＣが９５％超では充電の受け入れ量が少な過ぎ、電力安定化に不利になることが分かった。
一方、ＳＯＣが４０％では、鉛蓄電池を満充電から目的のＳＯＣに調整するまでに時間がかかり過ぎるため好ましくない。また、未劣化の電池ではＳＯＣ４０％でも残存容量があるため充放電しても問題ないが、初期容量の７０％の容量まで劣化した電池では、ＳＯＣ４０％のときは残存容量が１００Ａｈとなり、その状態で充放電すると深放電することになり、劣化判定することで鉛蓄電池にダメージを与え、組電池１１の寿命が低下してしまうおそれがある。さらに、非常時に放電できる電力量が少なくなってしまう欠点がある。
【００２５】
ステップＳ１２の目標値Ｓｘへの調整を説明する。本実施形態では、劣化前の組電池１１の総放電電気量を基準（ＳＯＣ＝１００％）とし、この総放電電気量から放電量を減算した値を、現在のＳＯＣと見なし、このＳＯＣが目標値Ｓｘになるまで放電させる。
ここで、組電池１１の劣化が進行していない場合は、上記の調整方法によって実際のＳＯＣをほぼ目標値Ｓｘに調整することができる。
一方、組電池１１の劣化が進行している場合には、均等充電しても実際のＳＯＣは１００％に達しなくなるため、計測したＳＯＣと、実際のＳＯＣとにずれが生じてしまう。例えば、目標値Ｓｘを４０％に設定すると、実際のＳＯＣはそれを更に下回ってしまうことになる。
本構成では、上述したように、目標値Ｓｘを５０％以上にしているので、実際のＳＯＣとの間にずれが生じたとしても、実際のＳＯＣがかなり低くなってしまうことを回避することができる。従って、電池寿命の低下を抑えることができる。
【００２６】
目標値Ｓｘについては、より好ましくは、５０〜９５％の範囲内のうち、この組電池１１が使用される充放電サイクルの中間のＳＯＣが良い。例えば、この組電池１１が５０〜９５％のＳＯＣで運用されている場合には、目標値Ｓｘを、５０〜９５％の中間値である７２．５％に設定することが好ましい。このようにすれば、運用中の常用されるＳＯＣで組電池１１の劣化を判定することができ、劣化をより適切に判定することができる。
ここで、目標値Ｓｘの値は、情報処理装置２２の記憶部２６に予め記憶させても良い。また、これに代えて、情報処理装置２２がＳＯＣを監視し、この監視結果に基づいて充放電サイクルの中間のＳＯＣを定期的に求め、目標値Ｓｘに設定するようにしても良い。
【００２７】
以上より、組電池１１を構成する鉛蓄電池１２は、ＳＯＣ５０〜９５％の範囲のＰＳＯＣで運用されることが好ましい。ＳＯＣが５０％未満であると、鉛蓄電池１２の性能劣化が著しくなるためであり、また、ＳＯＣが９５％より大きいと、他の電力からの充電効率が悪くなるためである。
【００２８】
上記ステップＳ１３において、処理部２５は、目標電流値Ｉｘとして、定格放電容量に対する電流を、放電時は０．０５〜１．０ＣＡの範囲内の値に設定する。また、充電時は０．０５〜０．６ＣＡの範囲内の値に設定する。
発明者等の検討によれば、０．０５ＣＡ未満では、組電池１１を充電または放電したときの分極が小さいため、判定が難しい場合があった。また、放電時は１．０ＣＡ超で、放電時の分極が大きく運用中の下限電圧に到達し易くなり、一方、充電時は０．８ＣＡ超で、充電時の分極が大きく運用中の上限電圧に到達し易くなり、正しい判定が難しくなった。
【００２９】
続いて、上記ステップＳ１４の直流内部抵抗Ｒを算出する工程について説明する。
上記ステップＳ１３で分極電圧ΔＶを求めた後、処理部２５は、以下の式（１）により分極電圧ΔＶから直流内部抵抗Ｒを算出する。
Ｒ＝ΔＶ／Ｉｘ  ・・・（１）
【００３０】
続いて、上記ステップＳ１５において、処理部２５は、直流内部抵抗Ｒを、記憶部２６に記憶された劣化判定の閾値Ｊと比較することによって、組電池１１の寿命状態を判定する。
例えば、直流内部抵抗Ｒが、閾値Ｊ（抵抗値）以上であれば、組電池１１が寿命になったものと判定する。なお、この劣化判定については、分極電圧ΔＶや直流内部抵抗Ｒに基づいて劣化判定する公知の手法を広く適用可能である。
【００３１】
以上説明したように、本実施の形態では、サイクル用の鉛蓄電池１２で構成される組電池１１を均等充電により満充電にした後、５０〜９５％のＳＯＣまで放電させる工程と、０．０５〜０．６ＣＡの範囲の電流で充電、または０．０５〜１．０ＣＡの範囲の電流で放電させたときの電圧を測定する工程と、この測定電圧から分極電圧ΔＶを算出した後、前記分極電圧ΔＶから直流内部抵抗Ｒを算出する工程と、前記電流に対応して予め定められた充電時または放電時の劣化判定の閾値Ｊとなる直流内部抵抗を示したデータテーブルに基づいて、前記分極電圧から算出した直流内部抵抗Ｒと、前記閾値Ｊとなる直流内部抵抗を比較することにより組電池１１（サイクル用の鉛蓄電池１２）の劣化判定を行う工程と、を備える。
【００３２】
この構成によれば、上述したように、ＳＯＣを１００％に戻して運用中に生じたＳＯＣの誤差をリセットし、かつ、運用中の上限電圧に到達しない範囲で劣化状態を判定し易くなる。また、満充電から調整するまでに時間がかかり過ぎてしまうことや、ＳＯＣを下げすぎて電池寿命を低下させることも回避し易くなる。
これらにより、本構成では、サイクル用の鉛蓄電池１２で構成される組電池１１の劣化判定精度を向上させることが可能になる。
従って、電力の負荷平準化や太陽光発電などの再生可能エネルギーの平準化などの電力貯蔵用途に用いた場合に、信頼性の高い組電池システムを維持することが可能になる。
【００３３】
さらに、本構成では、均等充電で満充電にした後の放電では、劣化前の組電池１１の総放電電気量を基準にして５０〜９５％のＳＯＣまで放電させるので、ＳＯＣの調整がし易い。また、調整後のＳＯＣと実際のＳＯＣとの間にずれが生じても、実際のＳＯＣが過度に低く調整されてしまうことを抑えることも可能である。
また、本構成では、均等充電で満充電にした後の放電では、組電池１１が使用される充放電サイクルの中間のＳＯＣまで放電させるので、劣化をより適切に判定することが可能になる。
【００３４】
なお、上述の実施形態は、あくまでも本発明の一態様を示すものであり、本発明の主旨を逸脱しない範囲で任意に変形および応用が可能である。例えば、上述の実施形態では、組電池１１の劣化判定方法や電池劣化判定装置１０に本発明を適用する場合を説明したが、これに限らない。本発明は、複数のセルを有するサイクル用のニッケル・水素蓄電池の劣化判定方法や、その劣化判定装置に広く適用することが可能である。
【符号の説明】
【００３５】
１０  蓄電池の劣化判定装置（電池劣化判定装置）
１１  組電池
１２  セル、蓄電池、鉛蓄電池
２１  充放電装置（充放電部）
２２  情報処理装置（情報処理部）
２３  モニター線
２４  測定部
２５  処理部
２６  記憶部
【図１】
2015010962.tif 000004
【図２】
2015010962.tif 000005
【図３】
2015010962.tif 000006
【図４】
2015010962.tif 000007